(57)【特許請求の範囲】
【請求項１】
筒状に形成され、時計回りに所定角度で傾斜して上昇するカム面を１８０度の範囲で２つ有する第１カムと、
筒状に形成され、時計回りに前記第１カムのカム面と同一角度で傾斜して上昇するカム面を１８０度の範囲で２つ有する第２カムの前記カム面同士を全長が最小となるように当接させてなり、
前記両カム間に、前記第１カムの周壁と前記第２カムの周壁との一方に係止歯を設けるとともに、前記第１カムの周壁と前記第２カムの周壁との他方に前記係止歯に係合する係合片を設けたラチェット機構を備えさせた、
ことを特徴とするスペーサ。
【請求項２】
請求項１に記載のスペーサにおいて、
前記両カムの間に、少なくとも初期状態において前記両カムを一体に結合させておく結合手段を備え、
前記結合手段は、前記係止歯中に設けられる係止爪と、前記係合片中に設けられる係合歯とからなり、前記係合歯に前記係止爪を乗り越えさせ、さらに前記係合歯の上端を前記係止爪の下側に位置させることで機能する、
ことを特徴とするスペーサ。
【請求項３】
請求項１又は請求項２に記載のスペーサにおいて、
取付ねじと係合する一方のカムのねじ係合部に、前記取付ねじが前記ねじ係合部に螺合する螺合トルクが前記ラチェット機構のラチェットトルクよりも大きいトルクリミッタを設け、
前記ねじ係合部に係合する前記取付ねじの回転によって前記一方のカムが部材に当接すると、前記トルクリミッタの働きによって前記取付ねじが前記ねじ係合部に螺合する、
ことを特徴とするスペーサ。
【請求項４】
請求項１から請求項３のいずれか１項に記載のスペーサを介し、被取付部材に部材を取り付ける、
ことを特徴とする部材の取付構造。
【発明の詳細な説明】
【０００１】
【発明の属する技術分野】
この発明は、テレビジョン受像機のキャビネット（被取付部材）にＣＲＴ（陰極線管：部材）を、両者の間隔を適正に調整しながらキャビネットを歪まさないように取り付けるスペーサおよび部材の取付構造に関するものである。
【０００２】
【従来の技術】
図２０は従来のＣＲＴ取付構造の一例を示す部分断面図である。
図２０において、１はキャビネット、２はキャビネット１に一体的に設けられたボス、３はＣＲＴ、４はＣＲＴ３に配設された取付フランジ、５はナットを示し、このナット５は、ボス２内に回動不能に挿入されるものの、ボス２の軸方向へ移動可能とされている。
６は下方へコ字状に開放した金具を示し、上部の内側の中央に切り込みが設けられて上部は谷状に折れ曲がっており、下側の対向する部分にボス２を挟持する切欠が設けられている。
７は取付ねじを示す。
【０００３】
次に、キャビネット１へのＣＲＴ３の取付について説明する。
まず、キャビネット１を水平に設置してナット５をボス２の上端の六角の穴に挿入し、金具６をボス２の上に被せる。
そして、ＣＲＴ３を設置することにより、金具６の上側に取付フランジ４を位置させる。
次に、取付ねじ７を、取付フランジ４の孔から金具６の孔へ挿通してナット５に螺合させる。
【０００４】
このようにして取付ねじ７をナット５に螺合させると、ナット５は取付ねじ７の締め込みによって引き上げられ、金具６に当接し、金具６を、キャビネット１と取付フランジ４との適正な間隔を埋める位置へ移動させる。
その後、取付ねじ７をさらに締め込むと、取付フランジ４とナット５とに挟まれた金具６の上部が平らに変形することにより、金具６の下側の対向する部分が接近し、ボス２を挟み込むので、ＣＲＴ３をキャビネット１に取り付けることができる。
なお、このようなＣＲＴ取付構造は、例えば特開平１１−３１３２７６号公報に開示されている。
【０００５】
【発明が解決しようとする課題】
従来のＣＲＴの取付構造は、取付ねじ７を締め込むことにより、金具６が取付フランジ４に当接状態まで移動した後、金具６の対向する部分でボス２を挟持するので、キャビネット１と取付フランジ４との間を適正な間隔に保った状態で、キャビネット１を歪まさないようにＣＲＴ３をキャビネット１に取り付けることができる。
しかし、金具６の対向する部分でボス２を挟持する挟持力でＣＲＴ３がキャビネット１に取り付けられることになるので、ＣＲＴ３の取付力が弱いという不都合があった。
【０００６】
この発明は、上記したような不都合を解消するためになされたもので、被取付部材を歪ませることなく、被取付部材に部材を強固に取り付けることのできるスペーサおよび部材の取付構造を提供するものである。
【０００７】
【課題を解決するための手段】
この発明にかかるスペーサは、筒状に形成され、時計回りに所定角度で傾斜して上昇するカム面を１８０度の範囲で２つ有する第１カムと、筒状に形成され、時計回りに前記第１カムのカム面と同一角度で傾斜して上昇するカム面を１８０度の範囲で２つ有する第２カムのカム面同士を全長が最小となるように当接させてなり、両カム間に、第１カムの周壁と第２カムの周壁との一方に係止歯を設けるとともに、第１カムの周壁と第２カムの周壁との他方に前記係止歯に係合する係合片を設けたラチェット機構を備えさせたものである。
また、両カムの間に、少なくとも初期状態において前記両カムを一体に結合させておく結合手段を備え、結合手段は、係止歯中に設けられる係止爪と、係合片中に設けられる係合歯とからなり、係合歯に係止爪を乗り越えさせ、さらに係合歯の上端を係止爪の下側に位置させることで機能するものであることが望ましい。
さらに、取付ねじと係合する一方のカムのねじ係合部に、取付ねじがねじ係合部に螺合する螺合トルクがラチェット機構のラチェットトルクよりも大きいトルクリミッタを設け、ねじ係合部に係合する取付ねじの回転によって一方のカムが部材に当接すると、トルクリミッタの働きによって取付ねじがねじ係合部に螺合するようにしてもよい。
そして、この発明にかかる部材の取付構造は、上記スペーサを介して、被取付部材に部材を取り付けるものである。
【０００８】
【発明の実施の形態】
以下、この発明の実施形態を図に基づいて説明する。
図１はこの発明のスペーサの第１実施形態に使用する固定カムを示す正面図、図２は図１に示した固定カムの平面図、図３は図１に示した固定カムの底面図、図４は図２のＡ−Ａ線による一部を省略した部分拡大断面図である。
これらの図において、１１は第１カムとしての固定カムを示し、合成樹脂で成形され、太径部１２と、細径部１５とからなる円筒状とされている。
そして、太径部１２の周面に係合突起１３が放射方向に設けられ、太径部１２の上面に、時計方向回りに所定角度で傾斜して上昇するカム面１４が１８０度の範囲で２つ設けられている。
また、細径部１５の全周囲にラチェット機構を構成する係止歯１６が設けられるとともに、所定の係止歯１６の間に、結合手段を構成する係止爪１７が設けられている。
【０００９】
図５はこの発明のスペーサの第１実施形態に使用する回転カムを示す正面図、図６は図５に示した回転カムの平面図、図７は図５に示した回転カムの底面図、図８は図５のＢ−Ｂ線による部分拡大断面図、図９は図６のＣ−Ｃ線による断面図である。
これらの図において、２１は第２カムとしての回転カムを示し、合成樹脂で成形され、外筒部２２と、ねじ係合部としての内筒部２５と、外筒部２２と内筒部２５の上端を連結する天井部２７とで構成された円筒状とされている。
そして、外筒部２２の下面に、時計方向回りにカム面１４と同一角度で傾斜して上昇するカム面２３が１８０度の範囲で２つ設けられ、周壁の一部がラチェット機構を構成する係合片２４とされている。
なお、係止片２４には、係止歯１７に係合する係合歯２４ａが設けられ、この係合歯２４ａは結合手段を構成するものである。
また、内筒部２５の内周には、例えば１２０度間隔で周方向へトルクリミッタとしての肉盛り部２６が設けられている。
【００１０】
図１０は固定カムに回転カムを取り付けた状態のスペーサの正面図、図１１は図１０に示したスペーサの平面図、図１２は図１０に示したスペーサの底面図である。
これらの図に示すように、固定カム１１の細径部１５を回転カム２１の外筒部２２内へ挿入して係止歯１６に係合片２４の係合歯２４ａを係合させるとともに、両カム面１４，２３を当接させ、固定カム１１と回転カム２１との全長を最小となるように組み立てると、係合歯２４ａが係合片２４の弾性によって係止爪１７を乗り越えることにより、図４に示すように、係合歯２４ａの上端が係止爪１７の下側に位置するので、回転カム２１から固定カム１１が抜け出なくなり、結合手段（係止爪１７、係合歯２４ａ）によって組立状態（初期状態）を維持する。
したがって、組立状態（初期状態）のスペーサＳは、結合手段によって回転カム２１から固定カム１１が抜け出なくなるので、取り扱い易くなる。
【００１１】
図１３はキャビネットの裏側を示す部分平面図、図１４は図１３に示したリブを矢印方向から見た図である。
これらの図において、５１は被取付部材としてのキャビネット、５２はキャビネット５１に一体的に設けられた平面視Ω形状をした筒状のリブを示し、このリブ５２は、スペーサＳを位置決めするとともに、スペーサＳの固定カム１１が回転するのを規制する機能を有するものである。
５３はボスを示し、リブ５２の中心に位置するように、キャビネット５１に一体的に設けられ、固定カム１１内に嵌合する外径とされている。
【００１２】
図１５、図１６は第１実施形態のスペーサを使用してキャビネットにＣＲＴを取り付ける説明図である。
これらの図において、６１は部材としてのＣＲＴ、６２はＣＲＴ６１に配設された取付フランジを示し、この取付フランジ６２には、取付ねじ７１を挿通する孔６３が設けられている。
【００１３】
次に、キャビネット５１へのＣＲＴ６１の取付について説明する。
まず、図１５に示すように、キャビネット５１を水平に設置して組み立てた状態のスペーサＳの固定カム１１の中にボス５３を挿入し、リブ５２の中にスペーサＳを位置させる。
そして、ＣＲＴ６１を設置することにより、スペーサＳの上側に取付フランジ６２を位置させる。
次に、取付ねじ７１を、取付フランジ６２の孔６３から回転カム２１の内筒部２５へ挿通して肉盛り部２６に螺合させる。
【００１４】
このようにして取付ねじ７１を肉盛り部２６に螺合させると、取付ねじ７１が肉盛り部２６に螺合する螺合トルクがラチェット機構のラチェットトルクよりも大きいので、まず、スペーサＳ全体が時計方向へ回転し、係合突起１３がリブ５２に衝合することにより、固定カム１１の回動が阻止される。
その後、固定カム１１は回動を阻止されるので、回転カム２１のみが回動することになる。
このように回転カム２１のみが回転すると、係合歯２４ａは係合片２４の弾性によって係止歯１６を順次乗り越えるので、回転カム２１はカム面１４，２３で案内されて時計方向へ回動しながら上昇し、スペーサＳの全長が順次長くなり、キャビネット５１と取付フランジ６２との適正な間隔を埋める位置へ回転カム２１が移動する。
【００１５】
なお、回転カム２１が回動し、係合歯２４ａが係止歯１６を初期状態から２つ位乗り越えると、係止爪１７と係合歯２４ａとの結合関係が解除されるので、回転カム２１は軸方向へ移動可能となる。
そして、図１６に示すように、回転カム２１が取付フランジ６２に当接すると、取付ねじ７１が肉盛り部２６に螺合し、その後ボス５３に螺合することにより、取付フランジ６２をスペーサＳと取付ねじ７１とで挟み込むので、ＣＲＴ６１をキャビネット５１に取り付けることができる。
【００１６】
上述したように、この発明の第１実施形態によれば、第１カム１１と、第２カム２１とでスペーサＳを構成したので、両カム１１，２１のカム面１４，２３同士を当接させ、両カム１１，２１を相対的に回動させることにより、スペーサＳの全長を、キャビネット５１と取付フランジ６２との適正な間隔を埋める長さに広げることができる。
したがって、キャビネット５１を歪ませることなく、キャビネット５１にＣＲＴ６１を強固に取り付けることができる。
【００１７】
そして、ラチェット機構を設けたので、スペーサＳの全長が短くなるのを防止でき、取付状態を維持することができる。
また、両カム１１，２１を筒状に形成し、第１カム１１の周壁と第２カム２１の周壁との間にラチェット機構を設けたので、全体の大きさを大きくすることなくラチェット機構を設けることができる。
さらに、トルクリミッタを設けたので、スペーサＳの全長を、キャビネット５１と取付フランジ６２との適正な間隔を埋める長さに操作性よく、簡単に広げることができる。
また、両カム１１，２１の間に結合手段を設けたので、初期状態、すなわち組み立てた状態で両カム１１，２１が分離することがなくなることにより、取扱い易くなるとともに、キャビネット５１にＣＲＴ６１を作業性よく取り付けることができる。
【００１８】
図１７はこの発明の参考例であるスペーサの分解斜視図であり、図１〜図１６と同一または相当部分に同一符号を付して説明を省略する。
図１７において、３１は第１カムとしての固定カムを示し、合成樹脂で成形され、キャビネット（５１）のボス５３が挿入される筒部３２と、楔状のカム部３３とで構成されている。
そして、カム部３３の上面は所定角度で傾斜して上昇するカム面を形成するとともに、ラチェット機構を構成する係止歯３４が左右に設けられている。
さらに、カム部３３には、ガイド機構を構成するガイド溝３５が設けられるとともに、筒部３２に連通する孔（３６）が設けられている。
【００１９】
４１は第２カムとしての移動カムを示し、合成樹脂で楔状に成形され、下面は係止歯３４と同一角度で傾斜して上昇するカム面４２とされ、このカム面４２の左右にラチェット機構を構成する係合片４３が設けられるとともに、下面に、ガイド溝３５に抜けないように係合し、ガイド機構を構成する被ガイド突条４４が設けられている。
さらに、移動カム４１には、固定カム３１上を移動しても、孔（３６）に連通する長孔４５が設けられている。
なお、ガイド機構（ガイド溝３５、被ガイド突条４４）は、結合手段をも構成している。
【００２０】
図１８、図１９は参考例のスペーサを使用してキャビネットにＣＲＴを取り付ける説明図であり、図１〜図１７と同一または相当部分に同一符号を付して説明を省略する。
図１８に示すように、固定カム３１のガイド溝３５に移動カム４１の被ガイド突条４４を挿入し、最下部の係止歯３５に係合片４３を係合をさせて組立状態（初期状態）にすると、結合手段（ガイド機構）によって初期状態を維持する。
したがって、組立状態（初期状態）のスペーサＳは、結合手段によって分離しなくなるので、取り扱い易くなる。
【００２１】
次に、キャビネット５１へのＣＲＴ６１の取付について説明する。
まず、キャビネット５１を水平に設置し、図１８に示すように、組み立てた状態のスペーサＳの筒部３２の中にボス５３を挿入する。
そして、ＣＲＴ６１を設置することにより、スペーサＳの上側に取付フランジ６２を位置させる。
次に、移動カム４１を押すと、図１９に示すように、取付フランジ６２との隙間を埋めることができる。
【００２２】
このように移動カム４１を押すと、係合片４３は自身の弾性によって係止歯３５を順次乗り越えるので、移動カム４１はカム面（３５），４２で案内されて上昇し、スペーサＳの全長が順次長くなり、キャビネット５１と取付フランジ６２との適正な間隔を埋める長さになる。
そして、図１９に示すように、移動カム４１の長孔４５から固定カム３１の孔３６へ取付ねじ７１を挿通し、取付ねじ７１をボス５３に螺合させると、取付フランジ６２をスペーサＳと取付ねじ７１とで挟み込むので、ＣＲＴ６１をキャビネット５１に取り付けることができる。
【００２３】
この参考例のスペーサＳにおいても、第１実施形態のスペーサＳと同様な効果を得ることができる。
【００２４】
上記した第１実施形態では、ラチェット機構を第１カム１１の周壁と第２カム２１の周壁との間に設けたが、両カム１１，２１のカム面１４，２４に設けても、同様な効果を得ることができる。
また、第１実施形態では、固定カム１１，３１をキャビネット５１と別体構成にしたが、キャビネット５１に固定カム１１，３１を一体的に設けてもよい。
さらに、第１実施形態に結合手段の例を示したが、同様に機能すれば、この構成に限らず、他の構成を採用してもよい。
【００２５】
【発明の効果】
以上のように、この発明によれば、第１カムと、第２カムとでスペーサを構成したので、両カムのカム面同士を当接させ、両カムを相対的に移動させることにより、スペーサの全長を、被取付部材と部材との適正な間隔を埋める長さに広げることができる。
したがって、被取付部材を歪ませることなく、被取付部材に部材を強固に取り付けることができる。
【００２６】
そして、ラチェット機構を設けたので、スペーサの全長が短くなるのを防止でき、取付状態を維持することができる。
また、両カムを筒状に形成し、第１カムの周壁と第２カムの周壁との間にラチェット機構を設け、両カムのカム面にラチェット機構を設けたので、全体の大きさを大きくすることなくラチェット機構を設けることができる。
さらに、トルクリミッタを設けたので、スペーサの全長を、被取付部材と部材との適正な間隔を埋める長さに操作性よく、簡単に広げることができる。
また、両カムの間に結合手段を設けたので、初期状態、すなわち組み立てた状態で両カムが分離することがなくなることにより、取扱い易くなるとともに、被取付部材に部材を作業性よく取り付けることができる。
【図面の簡単な説明】
【図１】この発明のスペーサの第１実施形態に使用する固定カムを示す正面図である。
【図２】図１に示した固定カムの平面図である。
【図３】図１に示した固定カムの底面図である。
【図４】図２のＡ−Ａ線による一部を省略した部分拡大断面図である。
【図５】この発明のスペーサの第１実施形態に使用する回転カムを示す正面図である。
【図６】図５に示した回転カムの平面図である。
【図７】図５に示した回転カムの底面図である。
【図８】図５のＢ−Ｂ線による部分拡大断面図である。
【図９】図６のＣ−Ｃ線による断面図である。
【図１０】図１０は固定カムに回転カムを取り付けた状態のスペーサの正面図である。
【図１１】図１０に示したスペーサの平面図である。
【図１２】図１０に示したスペーサの底面図である。
【図１３】キャビネットの裏側を示す部分平面図である。
【図１４】図１３に示したリブを矢印方向から見た図である。
【図１５】第１実施形態のスペーサを使用してキャビネットにＣＲＴを取り付ける説明図である。
【図１６】第１実施形態のスペーサを使用してキャビネットにＣＲＴを取り付ける説明図である。
【図１７】この発明の第２実施形態であるスペーサの分解斜視図である。
【図１８】第２実施形態のスペーサを使用してキャビネットにＣＲＴを取り付ける説明図である。
【図１９】第２実施形態のスペーサを使用してキャビネットにＣＲＴを取り付ける説明図である。
【図２０】従来のＣＲＴ取付構造の一例を示す部分断面図である。
【符号の説明】
Ｓ      スペーサ
１１    第１カム（固定カム）
１２    太径部
１３    係合突起
１４    カム面
１５    細径部
１６    ラチェット機構（係止歯）
１７    結合手段（係止爪）
２１    第２カム（回転カム）
２２    外筒部
２３    カム面
２４    ラチェット機構（係合片）
２４ａ  結合手段（係合歯）
２５    ねじ係合部（内筒部）
２６    トルクリミッタ（肉盛り部）
２７    天井部
３１    第１カム（固定カム）
３２    筒部
３３    カム部
３４    カム面、ラチェット機構（係止歯）
３５    ガイド機構、結合手段（ガイド溝）
３６    孔
４１    第２カム（移動カム）
４２    カム面
４３    ラチェット機構（係合片）
４４    ガイド機構、結合手段（被ガイド突条）
４５    長孔
５１    被取付部材（キャビネット）
５２    リブ
５３    ボス
６１    部材（ＣＲＴ）
６２    取付フランジ
６３    孔
７１    取付ねじ
【図１】
0004578654.tif 000002
【図２】
0004578654.tif 000003
【図３】
0004578654.tif 000004
【図４】
0004578654.tif 000005
【図５】
0004578654.tif 000006
【図６】
0004578654.tif 000007
【図７】
0004578654.tif 000008
【図８】
0004578654.tif 000009
【図９】
0004578654.tif 000010
【図１０】
0004578654.tif 000011
【図１１】
0004578654.tif 000012
【図１２】
0004578654.tif 000013
【図１３】
0004578654.tif 000014
【図１４】
0004578654.tif 000015
【図１５】
0004578654.tif 000016
【図１６】
0004578654.tif 000017
【図１７】
0004578654.tif 000018
【図１８】
0004578654.tif 000019
【図１９】
0004578654.tif 000020
【図２０】
0004578654.tif 000021